(57)【要約】【課題】サイズの大きい部品を搭載しても、使用者が持ちやすい携帯端末装置の提供【解決手段】表示部（１２）と、回路部（１７）と、電池部（１６）と、電池部（１６）から離れる方向に突き出る凸部（１８２）を背面外側部に有する筐体（１８）と、を備える携帯端末装置（１００）である。筐体（１５）は、凸部（１８２）の裏側に、電池部（１６）から離れる方向に凹む凹部（１８３）を有する。また、凹部（１８３）は回路部（１７）を保持する。【選択図】図３
2015070366.tif 000002
【特許請求の範囲】
【請求項１】
表示部と、
電池部と、
回路部と、
前記電池部から離れる方向に突き出る凸部を有する筐体と、を備え、
前記筐体は、前記凸部の裏側に、前記電池部から離れる方向に凹む凹部を有し、
前記凹部は前記回路部を保持する、
携帯端末装置。
【請求項２】
前記回路部の厚みは、前記凹部の深さと比較して同じ又は小さいことを特徴とする請求項１に記載の携帯端末装置。
【請求項３】
前記回路部は、第１基板と、第２基板とを備え、
前記第１基板と前記第２基板とは積層しており、
前記第１基板は、上側主面に第１回路部品を有し、さらに、下側主面に第２回路部品を有し、
前記第２基板は、上側主面に第３回路部品を有し、
前記第２回路部品は、前記第１回路部品及び前記第３回路部品よりも大きいことを特徴とする請求項１又は２に記載の携帯端末装置。
【請求項４】
前記第１基板と前記第２基板とは、組付部により、互いに組み付けられており、一体化していることを特徴とする請求項３に記載の携帯端末装置。
【請求項５】
前記電池部は、前記回路部と比較して大きな幅を有することを特徴とする請求項１〜４のいずれか１つに記載の携帯端末装置。
【請求項６】
前記電池部は、前記表示部と比較して大きな面積を有することを特徴とする請求項１〜５のいずれか１つに記載の携帯端末装置。
【発明の詳細な説明】
【技術分野】
【０００１】
本発明は携帯端末装置に関する。
【背景技術】
【０００２】
画像を表示する表示部を有する携帯端末装置が利用されている。
【０００３】
例えば、特許文献１では、表示部を有する第１面と、その第１面の背面側に設けられた第２面とを有する携帯端末装置が開示されている。詳細には、凸部が第２面に設けられている。このような携帯端末装置は、使用者に片手で保持させて、容易に操作させることができる。
【先行技術文献】
【特許文献】
【０００４】
【特許文献１】特開２０１２−１５０６０８号公報
【発明の概要】
【発明が解決しようとする課題】
【０００５】
ところで、大型の表示部や大容量の電池等、サイズの大きい部品を搭載する携帯端末装置が要求されている。特許文献１に開示される携帯端末装置では、例えば、サイズの大きい部品を搭載すると、携帯端末装置自体のサイズが大きくなり、使用者が持ちづらくなることがある。
【０００６】
本発明の目的は、上記した事情を背景としたものであり、サイズの大きい部品を搭載しても、使用者が持ちやすい携帯端末装置を提供するところにある。
【課題を解決するための手段】
【０００７】
本発明にかかる携帯端末装置は、
表示部と、
回路部と、
電池部と、
前記表示部から離れるように突き出る凸部を背面側に有する筐体と、を備え、
前記筐体は、前記凸部の裏側に、前記表示部から離れるように凹む凹部を有し、
前記凹部は前記回路部を保持する。
【発明の効果】
【０００８】
本発明によれば、サイズの大きい部品を搭載しても、使用者が持ちやすい携帯端末装置を提供することができる。
【図面の簡単な説明】
【０００９】
【図１】実施の形態１にかかる携帯端末装置の斜視図である。
【図２】実施の形態１にかかる携帯端末装置の分解斜視図である。
【図３】実施の形態１にかかる携帯端末装置の断面図である。
【図４】実施の形態１にかかる携帯端末装置の要部の側面図である。
【図５】実施の形態１にかかる携帯端末装置の使用方法の模式図である。
【図６】実施の形態１にかかる携帯端末装置の要部の側面図である。
【発明を実施するための形態】
【００１０】
実施の形態１．
以下、図１〜４を参照して本発明の実施の形態について説明する。図１は、実施の形態１にかかる携帯端末装置の斜視図を示す。図２は、実施の形態１にかかる携帯端末装置の分解斜視図を示す。図３は、実施の形態１にかかる携帯端末装置の断面図を示す。図４は、実施の形態１にかかる携帯端末装置の要部の側面図を示す。
【００１１】
図１に示すように、携帯端末装置１００は、タッチパネル１１と、表示部１２（図２参照）と、前筐体１５とを備える。携帯端末装置１００は、使用者の指等の接触による入力をタッチパネル１１で受け付けることができるとともに、画像や動画を表示部１２に表示することのできる携帯電話機である。
【００１２】
図２に示すように、詳細には、携帯端末装置１００は、タッチパネル１１、表示部１２及び前筐体１５に加えて、受話部１３と、発話部１４と、電池１６と、回路部１７と、後筐体１８とを備える。
【００１３】
図２及び図３に示すように、前筐体１５は、隆起部を両主面の外縁に有する板状体である。また、前筐体１５は、タッチパネル１１及び表示部１２を保持する前側保持部１５１を一方の主面に有し、電池１６を保持する後側保持部１５２を他方の主面に有する板状体である。前筐体１５は、携帯端末装置１００に含まれる部品などを保護するのに必要な機械的強度を有する材料からなる。このような材料としては、金属、プラスチックが挙げられる。
【００１４】
タッチパネル１１は、使用者の指等の接触により、入力を受け付けるためのパネルであって、例えば、静電容量式タッチパネルである。タッチパネル１１は、表示部１２を覆うようにして、前筐体１５の前側保持部１５１に保持される。タッチパネル１１は透明であり、覆った表示部１２の表示を外方から視認させることができる。
【００１５】
表示部１２は、動画や画像を一方の主面に表示する板状体である。表示部１２は、例えば、液晶ディスプレイ、有機ＥＬなどである。表示部１２は前側保持部１５１に保持されている。
【００１６】
受話部１３は通話相手の音声情報を出力する。受話部１３は、例えば、スピーカである。受話部１３は、前筐体１５の一端に設置されている。
【００１７】
発話部１４は使用者が発する音声を入力する。発話部１４は、例えば、マイクロフォンである。発話部１４は、前筐体１５の他端に設置されている。
【００１８】
電池１６は、略平板状の電池である。電池１６は、例えば、リチウムイオン電池である。再び図３を参照すると、電池１６は、後側保持部１５２に保持されている。また、電池１６の主面の面積が、表示部１２の主面の面積と同じ又は大きいと、大容量を維持しつつも厚みを薄くし得て、好ましい。
【００１９】
後筐体１８は、平坦部１８１と、平坦部１８１の中央近傍から隆起する凸部１８２と、を有する板状体である。凸部１８２は、後筐体１８の主面の長手方向に沿って隆起する。後筐体１８は、電池１６を覆うように前筐体１５に組み付けられる。後筐体１８は、前筐体１５と同じ種類の材料からなる。凸部１８２は電池１６から離れるように突き出る。凸部１８２の裏側には、凹部１８３がある。凹部１８３も電池１６から離れるように凹む。凹部１８３は、所定の深さＤ１を有する。凹部１８３は、回路部１７を保持する回路保持部として機能する。また、凹部１８３には、電池１６が排除されているとよい。
【００２０】
回路部１７は、タッチパネル１１と、表示部１２と、受話部１３と、発話部１４と、電池１６と、電気的に接続されている。回路部１７は、携帯端末装置として必要な制御、記憶を行うことができる。回路部１７は、例えば、ＣＰＵ（Central Processing Unit）、記憶部などを有しており、タッチパネル１１の受け付けた入力や記憶部に記憶されたプログラムに応じて、表示部１２、受話部１３、発話部１４等を制御することができる。回路部１７の厚みＴ１（図４参照。）は、深さＤ１と比較して同じかは小さいと好ましい。
【００２１】
回路部１７の詳細について説明する。図４に示すように、回路部１７は、第１基板１７１と、第２基板１７２と、を含む。第１基板１７１と、第２基板１７２とが、この順に積層している。また、第１基板１７１及び第２基板１７２は、フレーム１７３、１７４（組付部）に組み付けられており、一体化している。フレーム１７３、１７４は、例えば、梯子状のフレームである。これにより、回路部１７と他の部品とを接続したまま、電池１６の交換を容易に行うことができる。
【００２２】
第１回路部品１７５が第１基板１７１の上側主面に少なくとも１つ設置されている。第２回路部品１７６が第１基板１７１の下側主面に少なくとも１つ設置されている。第３回路部品１７７が第２基板１７２の上側主面に少なくとも１つ設置されている。第１回路部品１７５、第２回路部品１７６、及び、第３回路部品１７７は、例えば、ＣＰＵや記憶部である。また、第１回路部品１７５の回路部品の例として、例えば、近接無線用アンテナがある。
【００２３】
第２回路部品１７６は、第１回路部品１７５及び第３回路部品１７７より大きいサイズを有する。第１回路部品１７５及び第３回路部品１７７は第２回路部品１７６と比較して、応力による損傷を受けにくい。
【００２４】
また、第１回路部品１７５は、第３回路部品１７７と比較して大きいサイズを有する。そのため、第１回路部品１７５は、第３回路部品１７７と比較して、応力による損傷を受けにくい。
【００２５】
使用方法．
次に、図５を用いて使用方法の一例について説明する。図５は、実施の形態１にかかる携帯端末装置の使用方法の模式図を示す。
【００２６】
図５に示すように、携帯端末装置１００は、使用者の片手Ｆで握られる。詳細には、親指Ｆ１がタッチパネル１１の表面上にかかり、使用者の親指Ｆ１以外の４本の指Ｆ２が凸部１８２にかかる。携帯端末装置１００は４本の指Ｆ２により支持される。親指Ｆ１は、タッチパネル１１の上を移動して、タッチパネル１１を押すことができる。つまり、使用者は、携帯端末装置１００を片手で容易に持つことができるとともに、親指で入力することができる。
【００２７】
次に、図６を用いて、携帯端末装置１００を落下させた場合における回路部１７について説明する。
【００２８】
携帯端末装置１００を落下させると、着地時において、図６に示すように、力Ｓが電池１６（図６上方）に向かって回路部１７にかかる。すると、引張応力Ｓ１が第１回路部品１７５にかかり、圧縮応力Ｓ２が第２回路部品１７６にかかり、さらに、引張応力Ｓ３が第３回路部品１７７にかかる。ここで、引張応力Ｓ１及び引張応力Ｓ３は、圧縮応力Ｓ２と比較して大きい。上記したように、第１回路部品１７５及び第３回路部品１７７は、第２回路部品１７６と比較して、応力による損傷を受けにくい。すなわち、力Ｓがかかっても、比較的大きな引張応力Ｓ１及び引張応力Ｓ３が、応力による損傷を比較的受けにくい第１回路部品１７５及び第３回路部品１７７にかかる。と同時に、比較的小さな応力Ｓ２が、応力による損傷を比較的受けやすい第２回路部品１７６にかかる。つまり、回路部１７は、全体として、力Ｓによる損傷を受けにくいのである。
【００２９】
また、回路部１７は、凹部１８３に保持されており、携帯端末装置１００の中央近傍にある。そのため、携帯端末装置１００の着地時において、衝撃が回路部１７に直接加わりにくい。つまり、回路部１７は、全体として、力Ｓによる損傷を受けにくいのである。
【００３０】
以上、実施の形態１によれば、回路部を凹部に保持させるとともに、凸部よりも幅の大きい前筐体に電池を保持させることで、サイズの大きな部品を搭載することができる。また、使用者が凸部に指をかけて、持ちやすくすることができる。
【００３１】
また、実施の形態１によれば、回路部の厚さは回路保持部の深さと同じか又は小さい。ので、電池を保持するための容積を確保して、容量の大きい電池を搭載することができる。また、電池部の幅は回路部の幅と比較して大きい。さらに、電池部の面積は表示部の面積と比較して大きい。これらにより、さらに容量の大きい電池を搭載することができる。
【００３２】
また、実施の形態１によれば、回路部は、第１基板と第２基板とを積層する構造を有し、第１基板の下側主面に設置される第２回路部品が、第１基板の上側主面に設置される第１回路部品、及び、第２基板の上側主面に設置される第３回路部品よりも大きい。これにより、落下による衝撃が回路部に加わっても、回路部は、全体として損傷を受けにくい。
【００３３】
また、実施の形態１によれば、第１基板と第２基板とは、フレームにより、互いに組み付けられており、一体化しているので、回路部の接続を調整することなく、容易に電池交換をすることができる。
【００３４】
なお、実施の形態１によれば、凸部は、後筐体の主面の長手方向に沿って隆起するが、凸部は後筐体の主面の中心近傍から隆起しても構わない。
【００３５】
なお、本発明は上記実施の形態に限られたものではなく、趣旨を逸脱しない範囲で適宜変更することが可能である。例えば、スマートフォン、フィーチャフォン、タブレットなどの携帯端末装置が挙げられる。
【符号の説明】
【００３６】
１００  携帯端末装置、      １１  タッチパネル、      １２  表示部、      
１３  受話部、      １４  発話部、      １５  前筐体、      １６  電池、      
１７  回路部、      １７１、１７２  基板、      １７３  フレーム、      
１７５、１７６、１７７  回路部品、      
１８  後筐体、      １８１  平坦部、      １８２  凸部、      １８３  凹部、
Ｓ  力、      Ｓ１、Ｓ２、Ｓ３  応力
【図１】
2015070366.tif 000003
【図２】
2015070366.tif 000004
【図３】
2015070366.tif 000005
【図４】
2015070366.tif 000006
【図５】
2015070366.tif 000007
【図６】
2015070366.tif 000008